【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
対象における不規則な心拍を検出するためのシステムであって、
前記システムは、前記対象の胸骨の正面に直接に位置付けられるように構成された送信機含有のデバイスを備え、
前記送信機含有のデバイスは、前記対象と接触しており、前記送信機含有のデバイスは、共通の筐体内に、送信機と、回路基板と、アンテナと、受信機とを備え、
前記送信機は、ある波長の電磁放射線を前記対象の心臓に伝送するように構成されており、
前記受信機は、前記対象の心臓から反射された電磁信号を検出するように構成されており、
前記対象が不規則な心拍を有するかどうかは、前記対象の心臓から反射された前記電磁信号に基づいて判定される、システム。
【請求項２】
前記対象は、前記不規則な心拍のための介入を受けており、前記不規則な心拍のための介入が前記不規則な心拍を変調させているかどうかは、前記対象の心臓から反射された前記電磁信号に基づいて判定される、請求項１に記載のシステム。
【請求項３】
前記対象は、不規則ではない心拍状態のための介入を受けており、前記不規則ではない心拍状態のための介入が前記不規則な心拍を誘発しているかどうかは、前記対象の心臓から反射された前記電磁信号に基づいて判定される、請求項１に記載のシステム。
【請求項４】
前記対象が不規則な心拍を有するかどうかの判定は、前記心臓の一部の動きの分析によって判定される、請求項１に記載のシステム。
【請求項５】
前記対象は、呼吸を止めた状態にある、請求項４に記載のシステム。
【請求項６】
前記対象の心臓に伝送される前記波長の電磁放射線は、電波である、請求項１に記載のシステム。
【請求項７】
前記不規則な心拍は、心房細動と関連付けられる、請求項１に記載のシステム。
【請求項８】
前記不規則な心拍は、心房粗動と関連付けられる、請求項１に記載のシステム。
【請求項９】
前記不規則な心拍は、心室細動と関連付けられる、請求項１に記載のシステム。
【請求項１０】
前記不規則な心拍は、心室粗動と関連付けられる、請求項１に記載のシステム。
【請求項１１】
前記不規則な心拍は、心不整脈と関連付けられる、請求項１に記載のシステム。
【請求項１２】
前記対象は、ヒトである、請求項１に記載のシステム。
【請求項１３】
方法であって、
ａ）コンピュータシステムによって、対象の胸骨の正面に直接に位置付けられた受信機から、前記対象の心臓から反射された電磁放射線信号と関連付けられたデータを受信することであって、前記受信機は、前記対象と接触している、ことと、
ｂ）前記コンピュータシステムのプロセッサによって、前記対象の心臓から反射された前記電磁信号と関連付けられたデータを基準と比較することであって、前記プロセッサは、前記受信機と共通の筐体内にある、ことと、
ｃ）前記コンピュータシステムによって、前記対象の心臓から反射された前記電磁信号と関連付けられたデータの前記基準との比較に基づいて、前記対象が不規則な心拍を有するかどうかを判定することと、
ｄ）前記コンピュータシステムによって前記判定の結果を出力することと
を含む、方法。
【請求項１４】
前記対象は、前記不規則な心拍のための介入を受けており、前記方法はさらに、前記コンピュータシステムによって、前記対象の心臓から反射された前記電磁信号に基づいて、前記不規則な心拍のための介入が前記不規則な心拍を変調させているかどうかを判定することを含む、請求項１３に記載の方法。
【請求項１５】
前記対象は、不規則ではない心拍状態のための介入を受けており、前記方法はさらに、前記コンピュータシステムによって、前記対象の心臓から反射された前記電磁信号に基づいて、前記不規則ではない心拍状態のための介入が前記不規則な心拍を誘発しているかどうかを判定することを含む、請求項１３に記載の方法。
【請求項１６】
前記対象が不規則な心拍を有するかどうかの判定は、前記心臓の一部の動きの分析によって判定される、請求項１３に記載の方法。
【請求項１７】
前記不規則な心拍は、心房細動と関連付けられる、請求項１３に記載の方法。
【請求項１８】
前記不規則な心拍は、心房粗動と関連付けられる、請求項１３に記載の方法。
【請求項１９】
前記不規則な心拍は、心室細動と関連付けられる、請求項１３に記載の方法。
【請求項２０】
前記不規則な心拍は、心室粗動と関連付けられる、請求項１３に記載の方法。
【請求項２１】
前記不規則な心拍は、心不整脈と関連付けられる、請求項１３に記載の方法。
【請求項２２】
前記対象は、ヒトである、請求項１３に記載の方法。
【手続補正２】
【補正対象書類名】明細書
【補正対象項目名】０００９
【補正方法】変更
【補正の内容】
【０００９】
いくつかの実施形態では、本発明は、方法であって、ａ）対象に介入を投与するステップと、ｂ）レーダデバイスを用いて対象を監視するステップと、ｃ）監視に基づいて、介入が対象における不規則な心拍を誘発しているかどうかを判定するステップとを含む、方法を提供する。
本願明細書は、例えば、以下の項目も提供する。
（項目１）
対象における不規則な心拍を検出する方法であって、
ａ）ある波長の電磁放射線を前記対象の心臓に伝送するステップと、
ｂ）前記対象の心臓から反射された電磁信号を検出するステップと、
ｃ）前記対象の心臓から反射された電磁信号に基づいて、前記対象が不規則な心拍を有するかどうかを判定するステップと、を含む、方法。
（項目２）
前記対象は、前記不規則な心拍のための介入を受けており、前記方法はさらに、前記対象の心臓から反射された電磁信号に基づいて、前記不規則な心拍のための介入が前記不規則な心拍を変調させているかどうかを判定するステップを含む、項目１に記載の方法。
（項目３）
前記対象は、不規則ではない心拍状態のための介入を受けており、前記方法はさらに、前記対象の心臓から反射された電磁信号に基づいて、前記不規則ではない心拍状態のための介入が前記不規則な心拍を誘発しているかどうかを判定するステップを含む、項目１に記載の方法。
（項目４）
前記対象が不規則な心拍を有するかどうかの判定は、前記心臓の一部の動きの分析によって判定される、項目１に記載の方法。
（項目５）
電磁放射線源を前記対象の身体に取り付けるステップをさらに含む、項目１に記載の方法。
（項目６）
前記電磁放射線源は、前記対象の心臓に近接して前記対象の身体に取り付けられる、項目５に記載の方法。
（項目７）
前記電磁放射線源は、前記対象の胸部に取り付けられる、項目５に記載の方法。
（項目８）
前記電磁放射線源は、前記対象の背中に取り付けられる、項目５に記載の方法。
（項目９）
前記対象は、呼吸を止めた状態にある、項目５に記載の方法。
（項目１０）
前記対象の心臓に伝送される前記波長の電磁放射線は、電波である、項目１に記載の方法。
（項目１１）
前記不規則な心拍は、心房細動と関連付けられる、項目１に記載の方法。
（項目１２）
前記不規則な心拍は、心房粗動と関連付けられる、項目１に記載の方法。
（項目１３）
前記不規則な心拍は、心室細動と関連付けられる、項目１に記載の方法。
（項目１４）
前記不規則な心拍は、心室粗動と関連付けられる、項目１に記載の方法。
（項目１５）
前記不規則な心拍は、心不整脈と関連付けられる、項目１に記載の方法。
（項目１６）
前記対象は、ヒトである、項目１に記載の方法。
（項目１７）
方法であって、
ａ）コンピュータシステムによって、対象の心臓から反射された電磁放射線信号と関連付けられたデータを受信するステップと、
ｂ）前記コンピュータシステムのプロセッサによって、前記対象の心臓から反射された電磁信号と関連付けられたデータと基準を比較するステップと、
ｃ）前記対象の心臓から反射された電磁信号と関連付けられたデータと前記基準の比較に基づいて、前記対象が不規則な心拍を有するかどうかを判定するステップと、
ｄ）前記判定の結果を出力するステップと、を含む、方法。
（項目１８）
前記対象は、前記不規則な心拍のための介入を受けており、前記方法はさらに、前記対象の心臓から反射された電磁信号に基づいて、前記不規則な心拍のための介入が前記不規則な心拍を変調させているかどうかを判定するステップを含む、項目１７に記載の方法。
（項目１９）
前記対象は、不規則ではない心拍状態のための介入を受けており、前記方法はさらに、前記対象の心臓から反射された電磁信号に基づいて、前記不規則ではない心拍状態のための介入が前記不規則な心拍を誘発しているかどうかを判定するステップを含む、項目１７に記載の方法。
（項目２０）
前記対象が不規則な心拍を有するかどうかの判定は、前記心臓の一部の動きの分析によって判定される、項目１７に記載の方法。
（項目２１）
前記不規則な心拍は、心房細動と関連付けられる、項目１７に記載の方法。
（項目２２）
前記不規則な心拍は、心房粗動と関連付けられる、項目１７に記載の方法。
（項目２３）
前記不規則な心拍は、心室細動と関連付けられる、項目１７に記載の方法。
（項目２４）
前記不規則な心拍は、心室粗動と関連付けられる、項目１７に記載の方法。
（項目２５）
前記不規則な心拍は、心不整脈と関連付けられる、項目１７に記載の方法。
（項目２６）
前記対象は、ヒトである、項目１７に記載の方法。